(57)【要約】      （修正有）【課題】電線等の線材に容易に取付可能であり、かつ、線材等の種別表示などが可能な表示部を変形させることなく該線材を纏めることのできる表示具を提供する。【解決手段】複数の電線等の線状被収束物の周囲を抱持すると共に該被収束物の用途等を表示する表示具であって、表面に文字等を表示する平坦あるいは曲面状に形成された表示部１０と、該表示部の両側にそれぞれヒンジ部４を介して被収束物を抱持する抱持部を一体的に連結し、この抱持部の自由端の一方に係合雄部５を、他方の自由端に前記雄部と嵌合する係合雌部６を設け、前記部材を合成樹脂で一体成形し、前記被収束物の周囲に前記表示部と線状被収束物を弾圧する抱持部とを巻き付けて前記雄部と雌部とを嵌合させる。【選択図】図１
0003141071.tif 000002
【実用新案登録請求の範囲】
【請求項１】
複数の電線等の線状被収束物の周囲を抱持すると共に該被収束物の用途等を表示する表示具であって、
表面に文字等を表示する平坦あるいは曲面状に形成された表示部と、該表示部の両側にそれぞれヒンジ部を介して被収束物を抱持する抱持部を一体的に連結し、この抱持部の自由端の一方に係合雄部を、他方の自由端に前記雄部と嵌合する係合雌部を設け、前記部材を合成樹脂で一体成形し、前記被収束物の周囲に前記表示部と線状被収束物を弾圧する抱持部とを巻き付けて前記雄部と雌部とを嵌合させることを特徴とする表示具。
【請求項２】
前記抱持部の裏面に弾性片を突出して形成したことを特徴とする請求項１記載の表示具。
【請求項３】
前記弾性片は、それぞれの抱持部の長手方向に少なくとも２箇所設けられていることを特徴とする請求項１記載の表示具。
【請求項４】
前記雌部は、雄部の先端側に設けた突起部が挿通する貫通孔と、該貫通孔の出口側に前記突起部を固定する縁部とが形成されていることを特徴とする請求項１記載の表示具。
【請求項５】
前記抱持部を閉止した状態で、被収束物を抱持する内面が円形状に形成されていることを特徴とする請求項１記載の表示具。
【請求項６】
前記抱持部を閉止した状態で、一方の抱持部に形成した弾性片の自由端と、他方の抱持部に形成した弾性片の自由端と互いに臨ませ、被収束物の周囲を弾圧することを特徴とする請求項１記載の表示具。
【請求項７】
前記係合雄部は、複数の係合突起が連設され表示具の内径を変化できることを特徴とする請求項１記載の表示具。
【考案の詳細な説明】
【技術分野】
【０００１】
本考案は、電線等の線材を種別、用途別などに分類して纏めた状態とし、その分類に応じた記号や文字等を表示することができる表示具に関する。
【背景技術】
【０００２】
自動販売機、コピー機、自動車などは、各種電機部品や電気機器等が搭載（内蔵）されており、これらの機器を電気的に接続して制御したりフィードバック情報を得たりするための信号線や電線等の線材が多数配線されている。また、電話局の配線は膨大な本数となっている。
【０００３】
各種機器を取り外したり移動したりする際に容易に配線を取り外したり、取り付けたりできるように、周囲を合成樹脂等で被覆された針金を線材の束に巻き付けて数十本程度ずつに纏めることが行われていた。また、纏められた線材の用途や分類等を表示して管理しやすくするために、取付穴が開孔された紙製や合成樹脂製のラベルが前記針金に取り付けられていた。
【０００４】
ところが、前述のようにラベルが取り付けられた針金を線材に巻き付ける方法は、ラベルの取付穴の部分でのみ針金に取り付けられているので、ラベルがブラブラと揺動するので取付操作の際に邪魔になったり、線材に針金を取り付けた状態でラベルが突出して他の配線に干渉したりといった問題があった。また、取付作業でラベルに張力が作用すると取付穴から破れやすいという問題もあった。そして、針金を線材に巻き付け、さらに、針金の両端側を互いに捻るという取付操作は比較的広い作業空間を必要とするが、線材の多くは基板と基板との間、基板と筐体との間といった比較的に狭小な空間に配線されているので、取付操作が容易に行えないといった問題があった。
【０００５】
複数の線材を束ねた状態とし、その束ねられた線材の種類や用途などの記号を表示することのできる結束具が提案されている（例えば、特許文献１）。
【特許文献１】特開２００３−６２２７８号公報
【考案の開示】
【考案が解決しようとする課題】
【０００６】
前記結束具は、係止爪を有する頭部と、前記係止爪と噛み合う鋸歯状突起が形成されたベルト部との間に、文字や記号等を表示する表示板が一体的に形成されている。この結束具は、ベルト部と表示板とが一体的に線材に巻き付けられており、前記ベルト部と同様に表示板が円弧状に変形するので、大型の表示板は表示している情報の一部が背面や側面に位置してしまい全体の表示を一目で確認できないという問題があった。また、変形による視認性の低下を防止するには表示板を小型化しなければならず、表示部に表示できる情報量が限られていた。何れにしても、表示板が円弧状に変形しており、視認性の良くないものであった。
【０００７】
また、結束具を線材に取り付ける取付箇所は前述のように狭小スペースである場合が多いので、細いベルト部を細かな頭部の係合穴に挿通する操作が容易には行えない。さらに、取付操作自体が、ベルト部を線材に巻き付ける、ベルト部を係合穴に挿通する、挿通されたベルト部を引っ張る、という一連の操作で行われるので、煩雑となっている。
【０００８】
更にまた、線材に結束具を取り付けた状態で、表示部に隣接する頭部の係合穴から突出したベルト部が表示板の手前に突出して該表示板の表示部を遮ってしまうという問題もあった。
【課題を解決するための手段】
【０００９】
本考案は、前記した従来の問題点を解決するためになされたものであって、
１）複数の電線等の線状被収束物の周囲を抱持すると共に該被収束物の用途等を表示する表示具であって、表面に文字等を表示する平坦あるいは曲面状に形成された表示部と、該表示部の両側にそれぞれヒンジ部を介して被収束物を抱持する抱持部を一体的に連結し、この抱持部の自由端の一方に係合雄部を、他方の自由端に前記雄部と嵌合する係合雌部を設け、前記部材を合成樹脂で一体成形し、前記被収束物の周囲に前記表示部と線状被収束物を弾圧する抱持部とを巻き付けて前記雄部と雌部とを嵌合させることを特徴としている。
２）前記抱持部の裏面に弾性片を突出して形成したことを特徴としている。
３）前記弾性片は、それぞれの抱持部の長手方向に少なくとも２箇所設けられていることを特徴としている。
４）前記雌部は、雄部の先端側に設けた突起部が挿通する貫通孔と、該貫通孔の出口側に前記突起部を固定する縁部とが形成されていることを特徴としている。
５）前記抱持部を閉止した状態で、被収束物を抱持する内面が円形状に形成されていることを特徴としている。
６）前記抱持部を閉止した状態で、一方の抱持部に形成した弾性片の自由端と、他方の抱持部に形成した弾性片の自由端と互いに臨ませ、被収束物の周囲を弾圧することを特徴としている。
７）前記係合雄部は、複数の係合突起が連設され表示具の内径を変化できることを特徴としている。
【考案の効果】
【００１０】
表示板の両側部に形成したヒンジ部を介して線材を把持する抱持部が形成され、また前記抱持部の内側に線材を支持する弾性片が形成されており、纏められる線材が前記抱持部と弾性片との間に保持されるようにしたので、表示板には把持された線材からの反発力が作用せず、表示板が変形せずに平板状となる。従って、従来のように表示板が取付時に円弧状に変形して視認性が低下することが防止される。
【００１１】
２枚の抱持部同士の先端が嵌合するようになっており、この抱持部を閉止する操作だけで、線材を纏めた状態となるので、従来の結束バンド式結束具のように取付操作が煩雑となることがない。
【００１２】
従来の結束バンド式の取付具のように表示板の前面にバンド部が突出したりすることがないので、視認性の低下が防止される。
【００１３】
また、抱持部と弾性片とが線材を取り囲んだ状態となり、前記弾性片と抱持部片とに線材が摺接するので線材保持具が取付状態で回転したり取付位置が移動したりすることが防止され、一定方向に表示板を向けた状態を維持することができる。
【００１４】
更に、弾性片はバネ性を有しており、保持できる線材の本数が増減して線材の束の径が変化しても、これに応じて弾性片が変形するので種々のサイズのものにも取り付けることができる。
【考案を実施するための最良の形態】
【００１５】
以下、本考案に係る表示具について説明する。なお、本考案は下記実施例に限定されるものではなく、本考案の要旨を逸脱しない範囲において変更可能である。
【００１６】
（概要）
本考案に係る線材等の表示具Ａは、ポリエステルやポリプロピレン、ポリアミド等の合成樹脂により一体成形されている。図１に示すように、表示板１の両側部に形成した肉薄のヒンジ部４ａ，４ｂを介して取付板２ａ，２ｂが形成され、図２Ｂに示すように前記取付板２ａ，２ｂを閉止してその中に複数の線材Ｌを束ねて保持するようになっている。
【００１７】
（実施例）
図３は、取付板２ａ，２ｂが解放された状態の平面図、図４は保持具Ａの底面図を示している。図３に示すように表示具Ａは、表示板１の表示部１ａ側の面の両縁部にヒンジ部４ａ，４ｂが形成されており、このヒンジ部４ａ，４ｂを介して取付板２ａ，２ｂが一体的に形成されている。
【００１８】
前記取付板２ａ，２ｂは、先端側に断面略半円弧形状の線材保持部９ａ，９ｂが形成され、一方の取付板２ａの一端より延長された係止爪が形成され、他方の取付板２ｂの一端に前記係止爪と係合する係止壁が形成された貫通孔が設けられている。また、取付板２ａ，２ｂの先端側にガイド部７ａ，７ｂが形成されている。このガイド部７ａ，７ｂは、線材を案内するガイドとして作用すると共に前記線材保持部９ａ，９ｂの補強部材としても作用している。
【００１９】
前記取付板２ａ，２の略中間に窓部１０が開口され、この窓部１０の内周壁に線材弾性片３ａ，３ｂが片持ち状に突出形成されている。また、この弾性片３ａ，３ｂは弾性変形するバネ性を有して形成され、保持される線材の本数に応じて変形すると共に、この保持される線材を押圧・支持するようになっている。
【００２０】
前記表示板１の裏面には、この表示板１の補強部材８が設けられており、半円弧状の凹部が形成され表示板１の強度を向上させて変形を防止し、表示部１ａを安定させている。この補強部材８は、線材Ｌを保持したときには、前記凹部に線材が纏められるようになっている。
【００２１】
また、前記ヒンジ部４ａ，４ｂは、表示板１の表示部１ａ側の表面に、この表示板１の縁に沿って凹条を設けて肉薄に形成されている。そして、前記取付板２ａ，２ｂがヒンジ部４ａ，４ｂを介して揺動できる柔軟性と断裂しない強度を有している。
【００２２】
前記表示板１は、例えば、予め金型で成形する際に表示部１ａに文字や記号等を形成したり、表面を梨地のように加工してペンなどの筆記具で記号等を直接記入できるようにしてもよい。
【００２３】
図１〜図３に示すように弾性片３ａ，３ｂは、窓部１０の内周壁より突出形成された片持ち状となっており、バネ性を備えている。保持される線材Ｌの束Ｌ１の径が大きくなると、前記弾性片３ａ，３ｂが横倒しに変形するので前記束Ｌ１を受け入れることができるようになっている。また、弾性片３ａ，３ｂが線材束Ｌ１を押圧・支持することにより保持具Ａの取付位置がズレたり、表示板が所定方向からズレたりすることが防止されている。
【００２４】
次に、前述のように構成された本考案に係る保持具の使用方法について説明する。
【００２５】
保持具Ａは、用途や配線箇所に応じて複数本の電線や信号線といった線材を纏めるときに使用されるものであり、必要本数が纏められた線材の束Ｌ１を図１に示すように２個の取付板２ａ，２ｂの間に位置させ、この取付板２ａ，２を図Ｂのように閉止する。
【００２６】
一方の取付板２ａの係止爪が、他方の取付板２ｂの貫通孔６の係合壁６ａと嵌合し、これらの取付板２ａ，２ｂの閉止が確実になされている。この閉止状態において、前記線材の束Ｌ１は、図Ｂに示すように弾性片３ａ，３ｂにより保持されると共に、その弾性力（バネ性）によって束Ｌ１に押圧力が付与されて確実な保持状態が維持されている。
【００２７】
線材Ｌの径が大きかったり、線材Ｌの本数が多くなったりした場合、線材の束Ｌ１の径が大きくなるが、弾性片３ａ，３ｂが図５のように変形して束Ｌ１を受け入れることができるようになっている。
【００２８】
また、表示板１の裏面に形成した補強部材８により、表示板１の曲げ強度を向上させたので線材束Ｌ１を押圧した応力によって表示板１が変形しないようになっている。そして、図９に示すように、線材の束Ｌ１を纏めて保持しながら表示部１ａの高い視認性が維持されるのである。
【００２９】
本実施例により、多数の線材を、その用途や分類等に応じて纏めると共に用途や分類等を表示することができる。また、その取付操作は、取付板を閉止するだけで完了するので、従来の結束具のような煩雑さが解消される。
【００３０】
さらに、弾性片はバネ性を有しているので、この弾性片によって線材が確実に保持されるのである。また、前記弾性片が線材を押圧する押圧力により保持具が滑って回転したり位置がずれたりしないのである。
【００３１】
そして、線材を纏めた状態で表示板は平面状に保持されているので、視認性がよいのである。
【図面の簡単な説明】
【００３２】
【図１】本考案に係る線材保持具の側面図である。
【図２】本考案に係る線材保持具の平面図である。
【図３】本考案に係る線材保持具の底面図である。
【図４】本考案に係る線材保持具の使用状態を示す図である。
【図５】本考案に係る線材保持具により多数の線材を纏めた状態を示す図である。
【符号の説明】
【００３３】
Ｌ  線材
Ｌ１  線材束
Ａ  保持具
１  表示板
２  取付板
３  弾性片
４  ヒンジ部
５  係止爪
６  貫通孔
８  補強部材
【図１】
0003141071.tif 000003
【図２】
0003141071.tif 000004
【図３】
0003141071.tif 000005
【図４】
0003141071.tif 000006
【図５】
0003141071.tif 000007
【手続補正書】
【提出日】平成20年1月31日(2008.1.31)
【手続補正１】
【補正対象書類名】実用新案登録請求の範囲
【補正対象項目名】請求項３
【補正方法】変更
【補正の内容】
【請求項３】
前記弾性片は、それぞれの抱持部の長手方向に少なくとも２箇所設けられていることを特徴とする請求項２記載の表示具。